(57)【特許請求の範囲】
【請求項１】
内部に照明器具が収容され、前面側に前方斜め上向きの見本装着用プレートを有し、該見本装着用プレートに照明用透孔を開口させた１又は複数の見本装着部を備えた展示見本装着ステージに対し、前記見本装着部に着脱自在に装着される見本表示体支持具と、該見本表示体支持具に対して着脱自在に装着された透光性を有する弾性薄板状の見本表示体とを備えてなる自動販売機用商品見本において、
前記見本表示体支持具は、前記見本装着部に前記見本装着用プレートの表面に当接されて装着される斜め配置の基盤部と、該基盤部から直立配置に立ち上げた見本表示体支持部とからなり、前記基盤部に前記見本装着部の照明用透孔に整合する照明用透孔を開口させ、前記見本表示体支持部は、前記基盤部の前後方向の中間位置に、該基盤部の前面の両側部から垂直方向に立ち上げた支柱部とその上端間を連結した横材部とを１枚の平板を切り抜いた形状に成形されるとともに中央に前述した基盤部の光透過孔に連続した光透過窓が開口されて構成され、前記見本表示体支持部の左右一対の支柱部にそれぞれ見本表示体の両縁を着脱自在に支持する見本表示体係止部を一体に備え、該両係止部に前記見本表示体の両側縁を着脱自在に係止させることにより１枚の弾性板状をした見本表示体を支持させたことを特徴としてなる自動販売機用商品見本。
【請求項２】
見本表示体は、透光性を維持させて販売見本表示が印刷によって施された合成樹脂製の弾性を有する薄板からなり、両縁を見本表示体係止部に係合させることにより略半円形に湾曲されて支持されるようにするとともに、両側縁に係止用張り出し部を一体に備え、該張り出し部には先端側上下両縁に抜け止め片部を一体に突設させて該張り出し部の上下の根元に係合凹欠部を形成し、前記見本表示体係止部には、前記張り出し部の上下の抜け止め片部間の間隔より長い長尺部と、該長尺部の外側に連続させて前記係合凹欠部が嵌合される短尺部とからなる透孔を備えてなる請求項１に記載の自動販売機用商品見本。
【発明の詳細な説明】
【０００１】
【発明の属する技術分野】
本発明は、缶又は瓶入りの飲料やタバコ等の自動販売機用商品展示見本に関する。
【０００２】
【従来の技術】
従来、清涼飲料水や酒類或いはタバコ類の自動販売機において使用されている商品展示見本は、古くは、販売商品と同じ缶、瓶又は箱を自動販売機前面のウインドー内に並べ、それらの前方上下から前面に光を当てるようにしたものが使用されていたが、見本外部から照光する方式では照明効果が薄いため、近年に到っては、透光性の商品展示見本を使用し、見本内部に照光して見本全体を浮かび上がらせるようにした言わば内部照明方式が広く採用されるに到っている。
【０００３】
この内部照明方式に於いても、商品展示見本を上面が水平なステージ上に設置し、該ステージ下に照明器具を設置し、ステージに開けた照明孔を通して商品展示見本の底部から内部を照明するようにした言わば下部照光方式と、縦向きの商品展示見本支持板の前面に商品展示見本を装着し、前記支持板の背面に照明器具を置き、該支持板の照明孔を通して商品展示見本の背面から内部を照明する言わば背部照明方式、及び、商品の底部を前方斜め上向きのステージに埋め込んだように見えるように、傾斜したステージに沿って切断した形状の商品展示見本を装着し、ステージの背面に照明器具を置き、該ステージの照明孔を通して商品展示見本の底部背面から内部を照明する言わば底背面照明方式のもの等がある。
【０００４】
これらの内部照明方式の商品展示見本は、何れも、取換え可能な合成樹脂性の薄板に印刷を施した透光性の見本表示体が使用され、色あせによって消費者の購買意欲を減じさせないこと、及び販売商品の変更に合わせて迅速に交換できるようにするために、見本表示体を必要に応じて取換えできるようにしている。
【０００５】
上述した底背面照明方式は、例えば図８に示すように、自動販売機の見本展示窓Ａ内に、前方斜め上向きの見本装着用プレートｂを有する展示見本ステージＢを備え、その見本装着用プレートｂに販売見本Ｃを装着するようにしており、販売見本Ｃは、見本表示体支持具１と、これに装着される見本表示体２とから構成され、全体が缶を斜めに切断した形状に成形されている。見本表示体２は合成樹脂フィルムに商品の外観を印刷したものが使用されている。
【０００６】
見本表示体支持具１は、前方斜め上向きの見本装着用プレートｂの表面に当接されて保持される斜め配置の基盤部１１と、その上端部前面側に、缶の上端部を構成する略半円筒形をした立ち上がり部１２と、その上端部前面側に水平配置に一体成形した、缶の上端を模った天板部１３と、基盤部１１の下端部前面に水平配置に一体成形した、缶の下端前方部を模った底板部１４とから構成されている。
【０００７】
また、天板部１３及び底板部１４には、両者の前縁部対向面には、それぞれ円弧状をした見本表示体ガイド突片１５ａ，１５ｂが一体に備えられるとともに、これに連続して基盤部１１の前面周縁にもガイド突片１５ｃが形成されている。そして、これらのガイド突片の内側に見本表示体２の周縁部を挿入することによって見本表示体２が取換え可能に装着されるようになっている。
【０００８】
基盤部１１には、内部照明用の光透過孔１６が開口され、その開口縁部背面に対ステージ固定用の枠状をした固定用凸部１７が突設されている。この固定用凸部１７を見本装着用プレートｂに開けた取り付け孔１８に挿入することによって、見本表示体支持具１が前記プレートｂに装着されるようになっている。
【０００９】
尚、図中１９は見本装着用プレートｂ内に設置した蛍光灯からなる光源である。
【００１０】
【発明が解決しようとする課題】
上述した従来の底背面照明方式の見本は、商品の外観を印刷したフィルム状の見本表示体を背面側斜め下方から照明するものであるため、ステージ内の照明を有効に利用し、少ない照明器具で効果的な照明がなされる点で優れている。
【００１１】
しかし、前述した従来の底背面照明方式では、見本表示体支持具の形状が複雑であるため、合成樹脂によるモールド成形をする際に、成形型の形状が複雑となり、見本表示体支持具の製造コストが高くならざるを得ないという問題がある。
【００１２】
また、全体の外観において、モールド成形される見本表示体支持具の露出する割合が多く、したがって高い商品イメージを維持するためには、フィルム状の見本表示体のみならず、見本表示体支持具の交換をも頻繁に行う必要が生じるという問題がある。
【００１３】
本発明は、このような従来の問題に鑑み、前述した底背面照明方式の自動販売機用商品見本において、その全体の構成を簡略化して、製造コストを低減し、かつ、使用期間が見本表示体に比べて長い見本表示体支持具の露出面積を少なくでき、その退色が全体の商品イメージに及ぼす影響を少なくして使用期間を長いものとできる自動販売機用商品見本の提供を目的としてなされたものである。
【００１４】
【課題を解決するための手段】
上述の如き従来の問題を解決し、所期の目的を達成するための本発明の特徴は、内部に照明器具が収容され、前面側に前方斜め上向きの見本装着用プレートを有し、該見本装着用プレートに照明用透孔を開口させた１又は複数の見本装着部を備えた展示見本装着ステージに対し、前記見本装着部に着脱自在に装着される見本表示体支持具と、該見本表示体支持具に対して着脱自在に装着された透光性を有する弾性薄板状の見本表示体とを備えてなる自動販売機用商品見本において、前記見本表示体支持具は、前記見本装着部に前記見本装着用プレートの表面に当接されて装着される斜め配置の基盤部と、該基盤部から直立配置に立ち上げた見本表示体支持部とからなり、前記基盤部に前記見本装着部の照明用透孔に整合する照明用透孔を開口させ、前記見本表示体支持部は、前記基盤部の前後方向の中間位置に、該基盤部の前面の両側部から垂直方向に立ち上げた支柱部とその上端間を連結した横材部とを１枚の平板を切り抜いた形状に成形されるとともに中央に前述した基盤部の光透過孔に連続した光透過窓が開口されて構成され、前記見本表示体支持部の左右一対の支柱部にそれぞれ見本表示体の両縁を着脱自在に支持する見本表示体係止部を一体に備え、該両係止部に前記見本表示体の両側縁を着脱自在に係止させることにより１枚の弾性板状をした見本表示体を支持させたことにある。
【００１５】
尚、見本表示体は、透光性を維持させて販売見本表示が印刷によって施された合成樹脂製の弾性を有する薄板からなり、両縁を見本表示体係止部に係合させることにより略半円形に湾曲されて支持されるようにするとともに、両側縁に係止用張り出し部を一体に備え、該張り出し部には先端側上下両縁に抜け止め片部を一体に突設させて該張り出し部の上下の根元に係合凹欠部を形成し、前記見本表示体係止部には、前記張り出し部の上下の抜け止め片部間の間隔より長い長尺部と、該長尺部の外側に連続させて前記係合凹欠部が嵌合される短尺部とからなる透孔を備えることが好ましい。
【００１６】
【発明の実施の形態】
次に本発明の実施の形態を図１〜図７について説明する。
【００１７】
図において、Ｂは前述した従来例と同様の見本展示窓内に備えた展示見本ステージであり、このステージＢの前面には、前方斜め上向きの見本装着用プレートｂが備えられている。このプレートｂに前述の従来例と同様の取り付け孔１８が開口されており、この取り付け孔１８に、本発明に係る販売見本２０が装着されるようになっている。
【００１８】
販売見本２０は、前記取り付け孔１８に取り外し自在に装着される見本表示体支持具２１と、これに取換え可能に支持される見本表示体２２とから構成されている。
【００１９】
見本表示体支持具２１は、前述した見本装着用プレートｂの表面に当接されて保持される斜め配置の基盤部３１を有し、該基盤部３１の前後方向の中間位置に、垂直方向に立ち上げられた見本表示体支持部３２を一体に有している。
【００２０】
基盤部３１には、前述した従来例と同様に、照明用の光透過孔３３が開口され、その開口縁部背面に対ステージ固定用の枠状をした固定用凸部３４が突設されている。この固定用凸部３４を見本装着用プレートｂに開けた取り付け孔１８に挿入することによって、見本表示体支持具２１が前記プレートｂに装着されるようになっている。
【００２１】
見本表示体支持部３２は、基盤部３１の前面の両側部から垂直方向に立ち上げた支柱部３５，３５と、その上端間を連結した横材部３６とを１枚の平板を切り抜いた如き形状に成形され、中央に前述した基盤部３１の光透過孔３３に連続した光透過窓３７が開口されている。
【００２２】
支柱部３５，３５の外側縁部には前方斜め内側向き、即ち前方側が互いに近づく向きに傾斜させた見本表示体ガイド縁部３８，３８が一体に形成され、これに連続させて、支柱部３５，３５より下側の基盤部３１の両側縁部および下縁部に連続して見本表示体ガイド縁部３９が形成されている。
【００２３】
支柱部３５，３５の前記ガイド縁部３８，３８のそれぞれの内側には、これに沿って見本表示体係止部４０，４０が形成されている。この見本表示体係止部４０は、支柱部３５の前後に貫通開口した細長の透孔を備え、この透孔は、見本表示体ガイド縁部３８に略接する配置の短尺部４０ａとこれより上下両端が上下に長い長尺部４０ｂとから構成されている。
【００２４】
また、見本表示体２２は、平板状をした弾性を有する透光性の合成樹脂製フィルム材に透光性を有する商品印刷を施し、所定の形状に打ち抜いて成形されており、全体的に略方形状をなし、両縁下部にテーパー状部４１，４１を設けている。
【００２５】
この見本表示体２２の両側縁には、係止用張り出し部４２，４２が備えられている。この各係止用張り出し部４２には、その先端部上下両端に抜け止め片部４３，４３が一体に突設され、これによって係止用張り出し部４２の根元部に係合用凹欠部４４，４４が形成されている。
【００２６】
この上下の係合用凹欠部４４，４４間の間隔、即ち係止用張り出し部４２の根元部の上下幅が、前述したの見本表示体係止部４０の短尺部４０ａ内に嵌り合う長さに形成されているとともに、上下の抜け止め片部４３，４３間の間隔、即ち係止用張り出し部４２，４２の先端間長さが、見本表示体係止部４０の長尺部４０ｂより短く、短尺部４０ａより長く形成されている。
【００２７】
このように見本表示体係止部４０及び係止用張り出し部４２を構成することにより、見本表示体２２を自らの弾性に抗して略半円筒状に湾曲させ、係止用張り出し部４２を見本表示体係止部４０の長尺部４０ｂに挿入し、上下の抜け止め片部４３，４３が裏側に突出した状態で放すことにより、見本表示体２２は自らの弾性によって広がり方向に動作し、短尺部４０ａ内に係合用凹欠４４，４４が嵌りあって抜け止めされる。
【００２８】
この状態で、見本表示体２２の両縁及び下縁は、見本表示体支持具２１のガイド縁部３８，３８、３９の内側に沿って係止されるようになっている。
【００２９】
尚、前述した見本表示体支持具２１の透孔からなる見本表示体係止部４０，４０及び見本表示体２２両側縁の係止用張り出し部４２，４２を設けることなく、図７に示すように、ガイド縁部３８，３８を梢大きくしてこれを見本表示体係止部とし、見本表示体２２の両側縁を２２ａ，２２ａをこのガイド縁部３８，３８の内側に挿入することによって係止させるようにしても良い。
【００３０】
このように構成される販売見本２０は、展示見本ステージＢの見本装着プレートｂに対し、図１に示すように装着することにより、展示見本ステージＢ内の光源１９からの光が基盤部３１の照明用透孔３３を通して見本表示体２２の背面を底部から斜め上向きに照射し、販売見本が内部から照明されて浮き出された効果が得られる。
【００３１】
また販売見本を支持している支柱部３５，３５間には、基盤部の光透過窓３３に連続した光透過窓３７が存在しているため、例えば見本展示窓Ａの最奥部の背景板Ｄの背面の照明器具（図示せず）による照明や、上側のステージ内の照明器具による照明によっても見本表示体２２の背面に照明光が照射される。
【００３２】
【発明の効果】
上述のように、本発明に係る自動販売機用商品見本は、内部に照明器具が収容され、前面側に前方斜め上向きの見本装着用プレートを有し、該見本装着用プレートに照明用透孔を開口させた１又は複数の見本装着部を備えた展示見本装着ステージに対し、前記見本装着部に着脱自在に装着される見本表示体支持具と、該見本表示体支持具に対して着脱自在に装着された透光性を有する弾性薄板状の見本表示体とを備えてなる自動販売機用商品見本において、前記見本表示体支持具は、前記見本装着部に装着される基盤部と、該基盤部から直立配置に立ち上げた見本表示体支持部とからなり、前記基盤部には前記見本装着部の照明用透孔に整合する照明用透孔を開口させるとともに、前記見本表示体支持部は左右一対の支柱部にそれぞれ見本表示体の両縁を着脱自在に支持する見本表示体係止部を一体に備え、該両係止部に前記見本表示体の両側縁を着脱自在に係止させることにより１枚の弾性板状をした見本表示体を支持させたことにより、見本表示体支持具の構造が、従来に比べて簡略化されて製造コストが削減できる。
【００３３】
また、従来の底背面照明方式のものに比べて、見本表示体支持部は、その露出割合を少なくすることができて使用期間が長くなっても、商品見本の外観に対する影響が少なくなり、長寿命化することができる。
【００３４】
更に、見本表示体は、その背面が展示見本装着ステージ内の光源のみならず、上側光源によっても照光されるため、従来に比べ、鮮明度が増し、顧客吸引効果が増大する。
【００３５】
また、見本表示体支持部は、１枚の平板状をしたプレートをもって構成され、該プレートの左右両縁を左右一対の支柱部となし、該プレートの中央部を見本表示体の背面を照明可能に開放することにより、見本表示体は、背面側からの光による照明効果が増大する。
【００３６】
また、見本表示体は、透光性を維持させて販売見本表示が印刷によって施された合成樹脂製の弾性を有する薄板からなり、両縁を見本表示体係止部に係合させることにより略半円形に湾曲されて支持されるようにするとともに、両側縁に係止用張り出し部を一体に備え、該張り出し部には先端側上下両縁に抜け止め片部を一体に突設させて該張り出し部の上下の根元に係合凹欠部を形成し、前記見本表示体係止部には、前記張り出し部の上下の抜け止め片部間の間隔より長い長尺部と、該長尺部の外側に連続させて前記係合凹欠部が嵌合される短尺部とからなる透孔を備えることにより、見本表示体の保持が容易に脱落することがないように確実になされ、しかも着脱操作が容易となる。
【図面の簡単な説明】
【図１】本発明に係る商品見本の実施形態の一例を示す断面図である。
【図２】図１中の見本表示体支持具を示す正面図である。
【図３】同上の背面図である。
【図４】図２中のＡ−Ａ線断面図である。
【図５】同上のＢ−Ｂ線断面図である。
【図６】図１中の見本表示体を示す正面図である。
【図７】本発明に係る商品見本の実施形態の他の一例を示す分解斜視図である。
【図８】従来の見本表示体支持具の実施形態を示す断面図である。
【符号の説明】
２０  販売見本
２１  見本表示体支持具
２２  見本表示体
３１  基盤部
３２  見本表示体支持部
３３  光透過孔
３４  固定用凸部
３５  支柱部
３６  横材部
３７  光透過窓
３８  見本表示体ガイド縁部
３９  見本表示体ガイド縁部
４０  見本表示体係止部
４０ａ  短尺部
４０ｂ  長尺部
４１  テーパー状部
４２  係止用張り出し部
４３  抜け止め片部
４４  係合用凹欠
【図１】
0003584377.tif 000002
【図２】
0003584377.tif 000003
【図３】
0003584377.tif 000004
【図４】
0003584377.tif 000005
【図５】
0003584377.tif 000006
【図６】
0003584377.tif 000007
【図７】
0003584377.tif 000008
【図８】
0003584377.tif 000009